(57)【要約】 【課題】  折畳み時の扁平化状態を著しく薄くすることが出来るように構成した折畳みパレットの提供を図る。【解決手段】  折畳みパレットにおいて、床枠Ａとして、横桟と縦桟とを井桁状に組んだ補強枠を矩形状に組んだ外郭枠内に架設した形態のものとすると共に、当該補強枠の形成杆材として、所定長さを具えた矩形状中空管材の所要箇所に、両側面部分を内側に折込むと共に上面側を下面側に合致させるように降下させることによって側面に折込部ｍが形成されかつ底面側は平坦面とするような形状に圧縮扁平化することによって肉薄部Ｍを形成してなる杆材を用い、互いの肉薄部Ｍを互いに噛み合わせた状態で交差させることによって同一平面状の井桁に組合わせるように構成した折畳みパレット。【選択図】  図５
2007261610.tif 000002
【特許請求の範囲】
【請求項１】
パレット床枠の上面に、当該床枠上に倒すことができる四周の側板部(Ｂ)を取付けて成り、かつ、複数のパレットを縦方向に積重ねることが出来るように構成した折畳みパレットにおいて、
当該床枠(Ａ)を、横桟(５)と縦桟(６)とを井桁状に組んだ補強枠(Ｄ)を矩形状に組んだ外郭枠(Ｃ)内に架設した形態のものとすると共に、当該補強枠(Ｄ)は、これの形成杆材として、所定長さを具えた矩形状中空管材の所要箇所に、両側面部分を内側に折込むと共に上面側を下面側に合致させるように降下させることによって側面に折込部(ｍ)が形成されかつ底面側は平坦面とするような形状に圧縮扁平化することによって肉薄部(Ｍ)を形成してなる杆材を用い、
当該杆材を縦横の桟材として用いると共にその互いの肉薄部(Ｍ)を互いに噛み合わせた状態で交差させることによって同一平面状の井桁に組合わせるように構成したことを特徴とする折畳みパレット。
【請求項２】
パレット床枠の上面に、当該床枠上に倒すことができる四周の側板部(Ｂ)を取付けて成り、かつ、複数のパレットを縦方向に積重ねることが出来るように構成した折畳みパレットにおいて、当該パレット床枠の下面側に設けるフォーク差込のための構成として、その所要側面に対称的に取付けるためのスキー枠(７)として、
所定長さを具えた矩形状中空管材の所要箇所に、両側面部分を内側に折込むと共に上面側を下面側に合致させるように降下させることによって側面に折込部(ｍ)が形成されかつ底面側は平坦面とするような形状に圧縮扁平化することによって肉薄部(Ｍ)を形成してなる杆材で形成し、
上記した上向き状態にある当該肉薄部(Ｍ)部分は、フォーク差込用部分と合致する間隔に二箇所形成するように構成したことを特徴とする折畳みパレット。
【請求項３】
前後側面を内側に折込むことに依り形成された折込部(ｍ)の両端部分には、次第に肉薄化することによるエクボ状部(ｎ，ｎ)を形成するように構成した請求項１または請求項２に記載の折畳みパレット。
【発明の詳細な説明】
【技術分野】
【０００１】
本発明は荷物輸送に供するための折畳みパレット、すなわち、パレット床枠の上面に、当該床枠上に倒すことができる網状または板状の四周側板部を取付けて成り、かつ、複数のパレットを縦方向に積重ねることが出来るように構成した折畳みパレットに関するものである。
【背景技術】
【０００２】
従来のこの種折畳みパレットの床板部分の形成は、杆材である縦枠材と横枠材とを井桁状に組むことによって形成することを通例とした。  そして、その互いの交差部分は重ね合わせた形態となるように組み合わせるものであつた。（例えば、特許文献１参照。）
【０００３】
更に、折畳みパレットの床部分におけるフォークの差込部の形成は、パレットの前後面柱体下端に所謂スキーと称される接地用枠杆を架設し、これと床板との間にフォーク差込用空隙を形成するものであつた。（例えば、特許文献２参照。）
【０００４】
【特許文献１】実開平７−４３３４号公報
【特許文献２】実開平６−６９１２９号公報
【発明の開示】
【発明が解決しようとする課題】
【０００５】
この種の折畳みパレットは、不使用時には、折畳んだ状態に保つと共にこれを所要枚数積重ねた状態で保管するか、或いは、このような積重ね状態で使用後の返送的輸送を行う関係上、その不使用時保管或いは返送的輸送に際して占めるスペースを出来るだけ少なくすることが望ましいものとされる。  従って、折畳み状態に於いては出来るだけ薄くなるような構成が要求される。
そして、この場合、内側に折畳まれる四周側板部分の肉薄化を図る方式と、パレット床板部分の肉薄化を図る方式とが考えられる。
【０００６】
上記した内側に折畳まれる四周側板部分の肉薄化を図る方式の場合、その肉薄化は必然的に四周側板部分の弱体化を招き、輸送中の収容物の揺れ動き荷重で四周側板部に対する破損を招き易く、極端な場合は収容物が外部に飛び出してしまうと言うような危険性が伴うことが予想される。  従って、このような方式の採用は出来るだけ避けることが好ましい。
【０００７】
上記したパレット床板部分の肉薄化を図る方式であるが、これを単純に薄くした場合は、上記と同様に強度劣化に基づく危険性が伴うこととなるが、本発明はこのような方式に於いて、強度劣化を生じさせること無くパレットのフォーク差込用部分を含めてその床面部分に対する肉薄化を図るように構成したことを特徴とする。
【０００８】
ところで、前述したように、杆材である縦桟と横桟とを重ねて井桁状に組むことによって床面部分を形成するようにした場合、その互いの交差部分は両桟が重ね合わせた形態となるために、これによりその全体的厚さが増加してしまうことを余儀なくされる。  そして、このような弊害解消を企図して、縦桟若しくは横桟を分割するように裁断すると共に、これを同一平面となるように組んで接合することが考えられる。  然し乍、このような場合、床面部分の製造の煩雑性、すなわち、裁断及び接合に要する作業時間の負担性は、必然的にコストアップに直結することとなる。  更に、このような接合部の存在は強度的劣化を招く要因ともされる。
【０００９】
また、折畳みパレットの床板部分に形成するフォークの差込部の形態は、パレットの前後面柱体下端に所謂スキー枠と称される接地用枠杆を架設し、これと床板との間にフォーク差込用空隙を形成する場合、当該接地用枠杆の厚さは強度的観点からある程度の肉厚を具えたものとする必要があり、これを単純に薄くすることは不可能とされた。
【００１０】
本発明は、折畳みパレットの床板部分の構成を、新規な部材杆を使用して形成することにより、強度的劣化を招くことなく肉薄化が図られるように構成した新規の折畳みパレットの提供を図ったものである。
【課題を解決するための手段】
【００１１】
本発明に係る折畳みパレットは、パレット床枠の上面に、当該床枠上に倒すことができる四周の側板部Ｂを取付けて成り、かつ、複数のパレットを縦方向に積重ねることが出来るように構成した折畳みパレットにおいて、
当該床枠Ａを、横桟と縦桟とを井桁状に組んだ補強枠を矩形状に組んだ外郭枠内に架設した形態のものとすると共に、当該補強枠は、これの形成杆材として、所定長さを具えた矩形状中空管材の所要箇所に、両側面部分を内側に折込むと共に上面側を下面側に合致させるように降下させることによって側面に折込部ｍが形成されかつ底面側は平坦面とするような形状に圧縮扁平化することによって肉薄部Ｍを形成してなる杆材を用い、
当該杆材を縦横の桟材として用いると共にその互いの肉薄部Ｍを互いに噛み合わせた状態で交差させることによって同一平面状の井桁に組合わせるように構成する。
【００１２】
また、本発明に係る折畳みパレットは、パレット床枠の上面に、当該床枠上に倒すことができる四周の側板部Ｂを取付けて成り、かつ、複数のパレットを縦方向に積重ねることが出来るように構成した折畳みパレットにおいて、当該パレット床枠の下面側に設けるフォーク差込のための構成として、その所要側面に対称的に取付けるためのスキー枠として、
所定長さを具えた矩形状中空管材の所要箇所に、両側面部分を内側に折込むと共に上面側を下面側に合致させるように降下させることによって側面に折込部ｍが形成されかつ底面側は平坦面とするような形状に圧縮扁平化することによって肉薄部Ｍを形成してなる杆材で形成し、
上記した上向き状態にある当該肉薄部Ｍ部分は、フォーク差込用部分と合致する間隔に二箇所形成するように構成する。
【００１３】
本発明は上記のような構成の採用に基づき、折畳みパレットにおける床板部分の肉薄化目的を達成するように構成したものである。
【００１４】
なお、上記した杆材であるが、その前後側面を内側に折込むことに依り形成された折込部ｍの両端部分には、次第に肉薄化することによるエクボ状部ｎ，ｎを形成するように構成することが、強度的向上化の観点から好ましい。
【発明の効果】
【００１５】
本発明は請求項1に記載のような構成、すなわち、床枠Ａを、横桟５と縦桟６とを井桁状に組んだ補強枠Ｄを矩形状に組んだ外郭枠Ｃ内に架設した形態のものとすると共に、当該補強枠Ｄは、これの形成杆材として、所定長さを具えた矩形状中空管材の所要箇所に、両側面部分を内側に折込むと共に上面側を下面側に合致させるように降下させることによって側面に折込部ｍが形成されかつ底面側は平坦面とするような形状に圧縮扁平化することによって肉薄部Ｍを形成してなる杆材を用い、当該杆材を縦横の桟材として用いると共にその互いの肉薄部Ｍを互いに噛み合わせた状態で交差させることによって同一平面状の井桁に組合わせるように構成したから、形成される床枠Ａに対する肉薄化が図られる。
【００１６】
何故ならば、従来のように  床板部分の形成を杆材である縦枠材と横枠材とを縦横に重ねて組むことによって形成した場合、すなわち、互いの交差部分は重ね合わせた形態となるように組み合わせた場合、必然的に肉厚化されてしまうこととなるが、本発明によれば、当該交差部分は肉薄部Ｍを互いに噛み合わせた状態で交差させるように構成したため、その肉薄化目的が達成される。  同時に、その当該肉薄部Ｍは杆材の板部分が４枚重ねのような外観を呈するものを２本重ねることにより合計８層構造の板材の重ね合わせ形態となるため、このような肉薄化は強度的劣化を招くことが無いばかりでなく、かえって強度的強靭化が図られる。
【００１７】
以上のような肉薄化に伴い、パレットの不使用時または使用後の返送的輸送に際しては、側板部Ｂを床枠Ａ上に倒すことにより折畳み、このような折畳み状態に於いて複数個縦方向に積重ねて行われるが、この時、各パレットはその折畳み状態での厚さが薄いほどその積重ね数が多くすることができ、これによりコンテナー等高さが制限された輸送手段に於いては有利とされるが、本発明にあっては上記のようにして折畳み状態での厚さの減少化が図られるような形態が採られているため、極めて有利な積載が図られる。
【００１８】
本発明は請求項２に記載のような構成、すなわち、パレット床枠の下面側に設けるフォーク差込のための構成として、その所要側面に対称的に取付けるためのスキー枠７として、所定長さを具えた矩形状中空管材の所要箇所に、両側面部分を内側に折込むと共に上面側を下面側に合致させるように降下させることによって側面に折込部ｍが形成されかつ底面側は平坦面とするような形状に圧縮扁平化することによって肉薄部Ｍを形成してなる杆材で形成し、上記した上向き状態にある当該肉薄部Ｍ部分は、フォーク差込用部分と合致する間隔に二箇所形成するように構成したから、パレットの床板部分の肉厚を少なくすることが出来る。
何故ならば、形成されるフォーク差込用間隙は、図４に示す寸法Ｐで示されるが、これには肉薄部Ｍの降下圧縮寸法も加えられており、従って、パレット床枠Ａとスキー枠７との間隔寸法Ｒは当該肉薄部Ｍの圧縮寸法だけ少なく設定することができるために、その肉薄化が図られることとなる。
そして、本発明はスキー枠として、このような矩形状中空管材を用いるように構成したから、従来のように単なる薄板スキー枠を形成していた場合に生じた強度上の問題が解消されると同時に、単なる一直線状の矩形状中空管材を用いた場合に生じる肉厚性という問題発生も、肉薄部Ｍの存在に基づき回避されることとなる。
【００１９】
本発明は請求項３に記載のような構成、すなわち、前後側面を内側に折込むことに依り形成された凹窪部ｍの両端部分には、次第に肉薄化することによるエクボ状部ｎ，ｎをその両側面に形成され、当該エクボ状部ｎ，ｎの存在は、交叉用肉薄部Ｍに対する強靭化が図られることとなる。
【発明を実施するための最良の形態】
【００２０】
図１乃至図4において、Ａはパレット床枠であって、その四周面には、起伏自在に取り付けた側板部Ｂが、当該床枠Ａの上面に重合状態で折畳まれるように構成してある。  ところで、図示の実施例にあっては、当該側板部Ｂは網板状のものとし、四隅に起伏自在に立設する柱体Ｓに対して当該側板部Ｂを係脱自在に連結し、当該柱体Ｓを倒すことによって、当該側板部Ｂを床枠Ａ上に重ねた状態で扁平化されるように構成してあるが、本発明に於いてはこのような構成部分を要部とするものではない。    また、側板部Ｂの構成は、図示のような網状の側板以外、例えば板状の側板であっても良い。
【００２１】
すなわち、上記したような折畳み自在とする構成は公知技術に属するものであり、本発明の特徴とするところは、床枠Ａ部分の構成を、下記のような形態とすることにより、強度的劣化を伴うことなく、折畳み状態での厚みの著しい扁平化が図られるように構成したことにある。  換言すると、本発明は、パレット床枠の上面に、当該床枠上に倒すことができる四周の側板部Ｂを取付けて成り、かつ、複数のパレットを縦方向に積重ねることが出来るように構成した折畳みパレットに於いて、その床枠Ａ部分の形態を下記のような構成としたことを特徴とするものである。
【００２２】
従って、本発明にあっては、側板部Ｂの構成及びその折畳みのための構成は既存の技術に基づくものであり、図示のものに限定されるものではない。
【００２３】
以下、上記した床枠Ａ部分の構成について詳細に説明する。
【００２４】
床枠Ａは図３に示すように、左右側杆1，2と、前後側杆3，4とで矩形状に組むことにより矩形枠状外郭枠Ｃを形成し、当該外郭枠Ｃ内には、横桟５と縦桟６とを井桁状に組んだ補強枠Ｄを架設するように構成してある。
【００２５】
そして、上記した補強枠Ｃの横桟５と縦桟６を形成するための杆材であるが、これは、図５〜図７に示すような構成を具えたものである。  すなわち、同図に示すように当該形成用杆材は、所定長さを具えた矩形状中空管材の所要箇所に、両側面部分を内側に折込むと共に上面側を下面側に合致させるように降下させることによって側面に折込部ｍを形成しかつ底面側は平坦面とするような形状に圧縮扁平化することによって肉薄部Ｍを形成してなるものである。
【００２６】
なお、上記のように前後側面を内側に折込むことに依り形成される折込部ｍの両端部分には、エクボ状部ｎ，ｎを形成してその厚さを次第に肉薄化するような扁平形態を採ることにより、当該エクボ状部ｎ，ｎの存在に基づき、肉薄部Ｍに対する強靭化が図られるように構成してある。
【００２７】
図１及び図４はパレット床部分に形成したフォーク差込用構成部分を表したものである。
【００２８】
同図に於いて、７は接地用スキー枠であって、上記したパレット床枠Ａ前後部に、その下面四隅に突設した脚杆８を連ねるような形態で架設してなるものである。  そして、当該スキー枠７はパレットをローラーコンベアー上に乗せた際の安定性確保と言う役割を果すものである。
【００２９】
そして、当該スキー枠７は前述したような構成を備えた杆材、すなわち、所定長さを具えた矩形状中空管材の所要箇所に、両側面部分を内側に折込むと共に上面側を下面側に合致させるように降下させることによって側面に折込部ｍを形成しかつ底面側は平坦面とするような形状に圧縮扁平化することによって肉薄部Ｍを形成してなるものである。
【００３０】
すなわち、従来のスキー枠は単なる板状のものあったため、折畳み状態にある多数のパレットを互いに積重ねた状態に於いて移動させる場合、当該スキー枠が単なる板状のものであるため、これが変形してパレットにゆがみが生じてしまう恐れがあったが、本発明にあっては当該スキー枠として、上記の構成を具えた矩形状中空管材を用いているため、顕著な強靭性が発揮される。  同時に、フォーク差込用部分は下記するように肉薄部Ｍ部分とすることに依り、当該スキー枠７を厚みのある杆材とすることによる肉厚化という問題発生が回避されるように構成してある。
【００３１】
上述したように上記スキー枠７は、図１及び図４に示すように、前記上向き状態にある当該肉薄部Ｍ部分を、フォーク差込用部分と合致する間隔で二箇所形成するように構成した杆材で形成するように構成してある。
【００３２】
なお、上記したパレット床枠Ａとスキー枠７との間にはスペーサー９を介在させることにより、フォーク差込用間隙Ｅが形成されるように構成してある。
【００３３】
図１乃至図３に示す状態において、フォークリフトに依る移動に際しては、フォークをフォーク差込用間隙Ｅ内に差込んで行われる。  そして、パレットの不使用時または使用後の返送的輸送に際しては、側板部Ｂを床枠Ａ上に倒すことにより折畳み、このような折畳み状態に於いて複数個縦方向に積重ねて行われる。  すなわち、このような折畳み方式は既存の折畳みパレットと全く同様にして行われる。
【００３４】
ところで、この場合、各パレットはその折畳み状態での厚さが薄いほどその積重ね数が多くすることができ、これによりコンテナー等高さが制限された輸送手段に於いては有利とされるが、本発明にあっては前述したように、「パレット床部分におけるパレット床枠の形成を、互いの肉薄部Ｍを互いに噛み合わせた状態で交差させることによって同一平面状の井桁に組合わせるようにした横桟５と縦桟６とで構成」することにより肉薄化が図られている。
【００３５】
更に、「パレット床部分におけるフォーク差込用部分は、上向き状態にある当該肉薄部Ｍ部分を、フォーク差込用部分と合致する間隔に二箇所形成するように構成」することによる肉薄化が図られている。  
【００３６】
本発明においては、折畳みパレットにおける床部の床面、及び、床部のフォーク差込用間隙において、これを構成する杆材に設けた肉薄部Ｍの存在に基づく肉薄化が図られることとなる。
【図面の簡単な説明】
【００３７】
【図１】本発明に係る折畳みパレットの正面図である。
【図２】同上側面図である。
【図３】同上床枠部分の平面図である
【図４】フォーク差込用間隙部分の説明用拡大図である。
【図５】本発明の要旨部品とする杆材の側面図である。
【図６】本発明の要旨部品とする杆材の要部を現した斜視図である。
【図７】図６におけるＸ−Ｘ線拡大断面図である。
【図８】杆材を井桁状に組んだ状態を表した説明用斜視図である。
【符号の説明】
【００３８】
Ａ   パレット床枠
Ｂ   側板部
Ｓ   柱体
Ｃ   外郭枠
Ｄ   補強枠      
1,2  左右側杆
3,4  前後側杆
５   横桟
６   縦桟
７   スキー杆
ｍ   折込部
M   肉薄部
ｎ   エクボ状部
８   脚杆
９   スペーサー
Ｅ   フォーク差込用間隙
【図１】
2007261610.tif 000003
【図２】
2007261610.tif 000004
【図３】
2007261610.tif 000005
【図４】
2007261610.tif 000006
【図５】
2007261610.tif 000007
【図６】
2007261610.tif 000008
【図７】
2007261610.tif 000009
【図８】
2007261610.tif 000010